(57)【要約】      （修正有）【課題】長時間の皮膚面への貼付でも皮膚面に損傷を与えることなく、皮膚面への貼付が容易で、皮膚面を押圧する物理的刺激を与えられると共に数多くの薬効作用を有する皮膚面貼付具を提供する。【解決手段】複数の開口部を有する皮膚面押圧部材２と、汗を吸収して液化する粉体と汗を吸収して液化しガスを発生させるガス発生剤と汗を吸収して液化し粉体に粘性を付与する粘性発生剤とを混合した内容物を収容する透水性の粉体内蔵袋体４と、皮膚面押圧部材を粉体内蔵袋体の内側に重ね皮膚面押圧部材を皮膚面に押圧保持する粘着層を有する貼付部材５と、を備える。【選択図】図５
0003226110.tif 000002
【実用新案登録請求の範囲】
【請求項１】
複数の開口部を有する皮膚面押圧部材と、
汗を吸収して液化する粉体と汗を吸収して液化しガスを発生させるガス発生剤と汗を吸収して液化し前記粉体に粘性を付与する粘性発生剤とを混合した内容物を収容する透水性の粉体内蔵袋体と、
皮膚面押圧部材を粉体内蔵袋体の内側に重ね皮膚面押圧部材を皮膚面に押圧保持する粘着層を有する貼付部材と、
を備えることを特徴とする皮膚面貼付具。
【請求項２】
皮膚面押圧部材に複数の切込みを形成し、粉体内蔵袋体の一部を前記切込みに挿入して保持することを特徴とする請求項１に記載の皮膚面貼付具。
【請求項３】
皮膚面押圧部材の表面に複数の突起を形成すると共に、遠赤外線及び／又は磁力線を放射する材料を混入した樹脂材料で形成することを特徴とする請求項１又は２に記載の皮膚面貼付具。
【考案の詳細な説明】
【技術分野】
【０００１】
本考案は、皮膚面に着脱可能に貼付する健康増進用の皮膚面貼付具に関する。
【背景技術】
【０００２】
従来、伸縮性を備えたシート材と、前記シート材の一方の面に設けられ、互いに離間する位置に接着された複数の突起物と、前記シート材の他方の面に設けられた粘着層とを有し、サポーターにおける皮膚と接触する面に前記粘着層を粘着し、一体的に構成されている皮膚面貼付具が提案されている。
【先行技術文献】
【特許文献】
【０００３】
【特許文献１】特開２０１８−８８２５９号公報
【考案の概要】
【考案が解決しようとする課題】
【０００４】
しかしながら、従来の皮膚面貼付具は、薬効成分を含む粘着層が皮膚面全体に接して貼付けられるため、長時間の貼付により皮膚面に損傷を与えかねないという問題と、粘着層に含まれる薬効成分は鎮痛等の限られたものに限定されるという問題を有している。
【０００５】
本考案は、従来技術の持つ問題点を解決する、長時間の皮膚面への貼付でも皮膚面に損傷を与えることなく、皮膚面への貼付が容易で、皮膚面を押圧する物理的刺激を与えられると共に数多くの薬効作用を有する皮膚面貼付具を提供することを目的とする。
【課題を解決するための手段】
【０００６】
本考案の皮膚面貼付具は、前記課題を解決するため、複数の開口部を有する皮膚面押圧部材と、汗を吸収して液化する粉体と汗を吸収して液化しガスを発生させるガス発生剤と汗を吸収して液化し前記粉体に粘性を付与する粘性発生剤とを混合した内容物を収容する透水性の粉体内蔵袋体と、皮膚面押圧部材を粉体内蔵袋体の内側に重ね皮膚面押圧部材を皮膚面に押圧保持する粘着層を有する貼付部材と、を備えることを特徴とする。
【０００７】
また、本考案の皮膚面貼付具は、皮膚面押圧部材に複数の切込みを形成し、粉体内蔵袋体の一部を前記切込みに挿入して保持することを特徴とする。
【０００８】
また、本考案の皮膚面貼付具は、皮膚面押圧部材の表面に複数の突起を形成すると共に、遠赤外線及び／又は磁力線を放射する材料を混入した樹脂材料で形成することを特徴とする。
【考案の効果】
【０００９】
複数の開口部を有する皮膚面押圧部材と、汗を吸収して液化する粉体と汗を吸収して液化しガスを発生させるガス発生剤と汗を吸収して液化し前記粉体に粘性を付与する粘性発生剤とを混合した内容物を収容する透水性の粉体内蔵袋体と、皮膚面押圧部材を粉体内蔵袋体の内側に重ね皮膚面押圧部材を皮膚面に押圧保持する粘着層を有する貼付部材と、を備えることで、皮膚面への貼着が容易で長時間の使用でも皮膚面への損傷を与えることがない皮膚面貼付具を提供することが可能となる。また、汗を吸収して液化しガスを発生するガス発生剤によりガスを発生させ、このガスが透水性の粉体内蔵袋体の目から徐々に噴出し皮膚面に温泉的刺激を付与することができ、粘性発生剤により粉体の内容物の成分が粘性化し透水性の粉体内蔵袋体の目を詰まらせ、発生したガスが次第に粉体内蔵袋体内に封じ込まれて皮膚面を押圧するマッサージ効果を得ることが可能となる。
皮膚面押圧部材に複数の切込みを形成し、粉体内蔵袋体の一部を前記切込みに挿入して保持することで、粉体内蔵袋体を皮膚面押圧部材の正確な位置に簡単に保持することが可能となる。
皮膚面押圧部材の表面に複数の突起を形成すると共に、遠赤外線及び／又は磁力線を放射する材料を混入した樹脂材料で形成することで、皮膚面を押圧する物理的刺激を与えられると共に、粉体内蔵袋体に収容される粉体の健康増進効果に加えて遠赤外線効果と磁力線効果を発揮することが可能となる。
【図面の簡単な説明】
【００１０】
【図１】（a）（ｂ）本考案の実施形態を示す図である。
【図２】（a）（ｂ）本考案の実施形態を示す図である。
【図３】（a）（ｂ）本考案の実施形態を示す図である。
【図４】本考案の実施形態を示す図である。
【図５】本考案の実施形態を示す図である。
【考案を実施するための形態】
【００１１】
本考案の実施の形態を図により説明する。
【００１２】
図１（a）（ｂ）は、本考案の皮膚面貼付具１の構成部材である皮膚面押圧部材２の上面図とA―A線切断面図である。皮膚面押圧部材２はシリコン樹脂等で形成され、複数の開口２aが形成される。複数の開口２aを形成することにより、汗の通過に次いで液化した粉体及び発生したガスの通過を許容し、皮膚面に液化した粉体及び発生したガスが作用し温泉的効果を奏することが可能となる。
【００１３】
皮膚面押圧部材２の表面には先端が丸みを帯びた複数の突起２ｂが形成される。複数の突起２ｂは、例えば、足裏の皮膚面に貼着したときには、足のツボを刺激する効果を有する。皮膚面押圧部材２のコーナ部近傍に切込み２ｃを形成する。切込み２ｃの機能については後述する。
【００１４】
シリコン樹脂等で形成される皮膚面押圧部材２に、体温により温められ遠赤外線を放射する遠赤外線放射粉末及び／又は磁力線を発する磁気粉末を混入する。シリコン樹脂等で形成される皮膚面押圧部材２中に一体化された遠赤外線放射粉末及び／又は磁気粉末から皮膚面への遠赤外線の放射及び／又は磁力線の放射により健康増進効果を発揮する。
【００１５】
図２（a）（ｂ）は、本考案の皮膚面貼付具１の構成部材である粉体３を収容した粉体内蔵袋体４の上面図とＢ―Ｂ線切断面図である。粉体内蔵袋体４は、透水性を有する不織布で形成される皮膚面押圧部材２と接する側の皮膚面押圧部材側シート４aと、貼付部材と接する貼付部材側シート４ｂにより構成される。貼付部材側シート４ｂは非透水性の材料で形成する。粉体３は、皮膚面押圧部材側シート４aと貼付部材側シート４ｂ間の中央部に収容され、皮膚面押圧部材側シート４aと貼付部材側シート４ｂのコーナ部には粉体３が収容されていない粉体非収容部分４ｃが形成される。
【００１６】
粉体内蔵袋体４に収容される粉体３は、皮膚から発せられる汗を吸収し液化するデキストリン粉体と、汗を吸収し液化し化学反応してガスを発生するガス発生剤、抗菌・殺菌作用を有する植物粉体、発汗作用を有する植物粉体の混合物である。デキストリンは液化し粘性を付与する粘性発生剤としても機能する。ガス発生剤は炭酸水素ナトリウム、クエン酸により構成され、化学反応して炭酸ガスを発生する。
【００１７】
皮膚から発する汗を吸収して液化した液状物とガス発生剤から発生したガスは、透水性を有する不織布で形成される皮膚面押圧部材側シート４aから皮膚面押圧部材２に形成された複数の開口２aを通して皮膚面に接触し、温泉的効果を付与することが可能となり、抗菌・殺菌作用、発汗作用を発揮し健康を増進する。非透水性の材料で形成された貼付部材側シート４ｂからは液化した粉体は通過せず、貼付部材５の粘着層５ｂの液化した粉体による劣化を防止する。
【００１８】
粉体3に混合された粘性発生剤により粉体3の粘性が増加し、透水性の粉体内蔵袋体４の目を詰まらせ発生したガスを粉体内蔵袋体4に封じ込め皮膚面を押圧するマッサージ効果を付与することが可能となる。
【００１９】
図３（a）（ｂ）は、本考案の皮膚面貼付具１の構成部材である貼付部材５の上面図とＣ―Ｃ線切断面図である。貼付部材５の大きさは、皮膚面押圧部材２、粉体内蔵袋体４の大きさより大きく形成される。貼付部材５は、粘着層５ｂを有する貼付シート５aと粘着層５ｂを保護する剥離シート５ｃにより構成される。貼付部材５を使用する際、剥離シート５ｃを粘着層５ｂから剥離し、粉体内蔵袋体４の貼付部材側シート４ｂの上に粘着層５ｂが位置するように配置する。
【００２０】
図４、図５は、皮膚面押圧部材２の下に粉体内蔵袋体４を保持して配置した上面図と断面図である。皮膚面押圧部材２のコーナ部近傍に形成した切込み２ｃに粉体内蔵袋体４の粉体３が収容されていない粉体非収容部分４ｃが挿入され、粉体内蔵袋体４を皮膚面押圧部材２の正確な位置に保持することが可能となる。剥離シート５ｃを粘着層５ｂから剥離した貼付部材５を粉体内蔵袋体４の貼付部材側シート４ｂの上に粘着層５ｂが位置するように配置し所望の皮膚面に貼着する。
【００２１】
以上のように、本考案の皮膚面貼付具によれば、長時間の皮膚面への貼付でも皮膚面に損傷を与えることなく、皮膚面への貼付が容易で、皮膚面を押圧する物理的刺激を与えられると共に数多くの薬効作用を有し、粉体内蔵袋体を皮膚面押圧部材の正確な位置に簡単に保持することが可能で、粉体内蔵袋体に収容される粉体の健康増進効果に加えて遠赤外線効果及び／又は磁力線効果を発揮することが可能となり、汗を吸収して液化しガスを発生するガス発生剤によりガスを発生させ、このガスが透水性の粉体内蔵袋体の目から徐々に噴出し皮膚面に温泉的刺激を付与することができ、粘性発生剤により粉体の内容物の成分が粘性化し透水性の粉体内蔵袋体の目を詰まらせ、発生したガスが次第に粉体内蔵袋体内に封じ込まれて皮膚面を押圧するマッサージ効果を得ることが可能となる。
【符号の説明】
【００２２】
１：皮膚面貼付具、２：皮膚面押圧部材、２a：開口、２ｂ：突起、２ｃ：切込み、３：粉体、４：粉体内蔵袋体、４a：皮膚面押圧部材側シート、４ｂ：貼付部材側シート、４ｃ：粉体非収容部分、５：貼付部材、５a：貼付シート、５ｂ：粘着層、５ｃ：剥離シート
【図１】
0003226110.tif 000003
【図２】
0003226110.tif 000004
【図３】
0003226110.tif 000005
【図４】
0003226110.tif 000006
【図５】
0003226110.tif 000007
【手続補正書】
【提出日】令和2年3月4日(2020.3.4)
【手続補正１】
【補正対象書類名】明細書
【補正対象項目名】０００３
【補正方法】変更
【補正の内容】
【０００３】
【特許文献１】特開２０１８−８６２５９号公報